【手続補正書】
【提出日】平成22年9月7日(2010.9.7)
【手続補正１】
【補正対象書類名】明細書
【補正対象項目名】００８８
【補正方法】変更
【補正の内容】
【００８８】
開示された実施形態の前記説明は、当業者が本発明を作成または使用できるようにするために提供される。これらの実施形態に対する多様な変型は、当業者にとって容易に明らかであって、本明細書に定義される一般的な原則は本発明の精神または範囲から逸脱することなく他の実施形態に適用されてもよい。したがって、本発明は本明細書に示されている実施形態に制限されることを意図されたものではなく、本明細書に開示される原則及び新規の特徴と合致する最も幅広い範囲と一致すべきものである。  
下記に他の実施形態を示す。
［１］送信ダイバーシティ利得を非送信ダイバーシティ受信機に与えるために送信ダイバーシティシステム内で主送信信号及び補助送信信号を処理するための再ディストリビュータユニットであって、
主要アンテナに向かう前記主送信信号のための分配路と、
前記主送信信号の時変コピーを生成し、前記主送信信号の前記時変コピーを補助アンテナに再分配するための第１の時変要素と、
前記補助送信信号の時変コピーを生成し、前記補助アンテナに前記補助送信信号の前記時変コピーを再分配するための第２の時変要素と、ここにおいて、前記補助送信信号は前記補助アンテナに分配されない
を備える再ディストリビュータユニット。
［２］送信ダイバーシティ利得を非送信ダイバーシティ受信機に提供するための装置であって、
主要アンテナと、
少なくとも１本の補助アンテナと、
結合された非送信ダイバーシティと第１の送信ダイバーシティとの信号を受信し、第２の送信ダイバーシティ信号を受信し、前記結合された非送信ダイバーシティと第１の送信ダイバーシティとの信号の時変バージョンを生成し、前記第２の送信ダイバーシティ信号の時変バージョンを生成し、前記主要アンテナ及び前記少なくとも１本の補助アンテナ上で前記時変バージョンを再分配するように構成されている再ディストリビュータユニットと、
を備える装置。
［３］前記再ディストリビュータユニットは、ユニタリ変換に従って前記時変バージョンの前記生成及び前記時変バージョンの再分配を実行する、上記［２］に記載の装置。
［４］前記ユニタリ変換はマトリクスＷであり、Ｗの要素がｗｋｉ＝δｋｉｂ（ｔ−τｋｉ）であり、ここにおいて、
ｔ ｍｏｄ ｎ≦１ または ｔ ｍｏｄ ｎ＞（ｎ−１）の場合、ｂ（ｔ）＝ｃｏｓ（πｔ／２）及び
それ以外の場合、ｂ（ｔ）＝０；
τｋｉ＝［σ（ｋ−ｉ）］ｍｏｄ ｎ、ここでｉが偶数の場合σは１、及び
ｉが奇数の場合、τｋｉ＝−１；及び
τｋｉが奇数かつｋが偶数の場合、δｋｉ＝−１、及び
それ以外の場合、δｋｉ＝１ である、上記［３］に記載の装置。
［５］マトリクスＷは
【数１１】
2009284497.tif 000001
である、上記［４］に記載の装置。
［６］前記ユニタリ変換はマトリクス
【数１２】
2009284497.tif 000002
である、上記［３］に記載の装置。
［７］下記を具備する、送信ダイバーシティシステムにおいて非送信ダイバーシティ受信機に送信ダイバーシティ利得を与えるための方法、ここにおいて前記送信ダイバーシティは主要アンテナ及び補助アンテナを使用して提供される、
結合された非送信ダイバーシティと第１の送信ダイバーシティとの信号の時変バージョンを生成することと、
第２の送信ダイバーシティ信号の時変バージョンを生成することと、
前記結合された非送信ダイバーシティと第１の送信ダイバーシティとの信号を前記主要アンテナの方へ向けることと、
結合された非送信ダイバーシティと第１の送信ダイバーシティとの信号の時変バージョンを前記補助アンテナの方へ向けることと、
前記第２の送信ダイバーシティ信号の前記時変バージョンを、前記第２の送信ダイバーシティ信号の代わりに前記補助アンテナの方へ向けることと、
を備える方法。
[８]下記を具備する、送信ダイバーシティシステムにおいて非送信ダイバーシティ受信機に送信ダイバーシティ利得を与えるための装置、ここにおいて、前記送信ダイバーシティは主要アンテナ及び補助アンテナを使用して提供される、
結合された非送信ダイバーシティと第１の送信ダイバーシティとの信号の時変バージョンを生成し、第２の送信ダイバーシティ信号の時変バージョンを生成するための手段と、
前記結合された非送信ダイバーシティと第１の送信ダイバーシティとの信号を前記主要アンテナの方へ向け、結合された非送信ダイバーシティと第１の送信ダイバーシティとの信号の前記時変バージョンを前記補助アンテナの方へ向け、前記第２の送信ダイバーシティ信号の前記時変バージョンを、前記第２の送信ダイバーシティ信号の代わりに前記補助アンテナに向けるための手段と、
を備える装置。
［９］送信ダイバーシティシステムにおいてマルチプルのアンテナの送信電力を平衡させるための装置であって、
主要アンテナに向かう１次送信信号のための分配路と、
補助アンテナに向かう第１の補助送信信号のための分配路と、
前記１次送信信号の時変コピーを生成し、前記１次送信信号の前記時変コピーを前記補助アンテナに向かって再分配するための第１の時変要素と、
第２の補助送信信号の時変コピーを生成し、前記第２の補助送信信号の前記時変コピーを前記補助アンテナに向かって再分配するための第２の時変要素と、ここにおいて、前記第２の補助送信信号は前記補助アンテナに分配されない
を備える装置。
［１０］送信ダイバーシティシステムの電力が平衡された送信信号を伝達するための装置であって、
主要アンテナと、
補助アンテナと、
前記主要アンテナに向けられる非送信ダイバーシティ信号と、前記主要アンテナに向けられる第１の送信ダイバーシティ信号と、前記補助アンテナに向けられる第２の送信ダイバーシティ信号とを受信するように構成されている再ディストリビュータユニットと、ここにおいて、前記再ディストリビュータユニットは、前記非送信ダイバーシティ信号の時変バージョン及び前記第２の送信ダイバーシティ信号の時変バージョンを生成し、前記非送信ダイバーシティ信号の前記時変バージョンを前記補助アンテナに、前記第２の送信ダイバーシティ信号の前記時変バージョンを、前記第２の送信ダイバーシティ信号の代わりに前記補助アンテナに再分配するようにさらに構成されている、
を備える装置。
［１１］送信ダイバーシティ環境においてアンテナの送信負荷を平衡させるための方法であって、
前記非送信ダイバーシティ及び第１の送信ダイバーシティ信号を主要アンテナの方へ向けることと、
非送信ダイバーシティ信号の時変バージョンを生成することと、
第２の送信ダイバーシティ信号の時変バージョンを生成することと、
前記非送信ダイバーシティ信号の前記時変バージョンを補助アンテナに向けることと、
前記第２の送信ダイバーシティ信号の前記時変バージョンを、前記第２の送信ダイバーシティ信号の代わりに前記補助アンテナの方へ向けることと、
を備える方法。
［１２］マルチプルのアンテナの送信負荷を平衡させるための装置であって、
前記非送信ダイバーシティ信号及び第１の送信ダイバーシティ信号を主要アンテナの方へ向けるための手段と、
非送信ダイバーシティ信号の時変バージョンを生成するための手段と、
第２の送信ダイバーシティ信号の時変バージョンを生成するための手段と、
前記非送信ダイバーシティ信号の前記時変バージョンを補助アンテナへ向けるための手段と、
前記第２の送信ダイバーシティ信号の前記時変バージョンを、前記第２の送信ダイバーシティ信号の代わりに前記補助アンテナの方へ向けるための手段と、
を備える装置。